(57)【要約】 【課題】  プリント基板上の少ないランドにフィルタを追加して挿入することが可能なプリント基板実装部品を提供すること。【解決手段】  本発明によるプリント基板実装部品１０は、本体基板と、入力電極２と出力電極３とグランド電極４とを備え、入力電極２と出力電極３の間に、２端子のディスクリート部品１１によって少なくとも１段以上のπ型フィルタを構成するための部品実装用のランドと内部配線とを備え、入力電極２と出力電極３とグランド電極４とがその端部においてプリント基板１２に面実装するための３端子構造を有し、プリント基板１２の上に設けた３端子フィルタなどの３端子部品に用いられるランド１３上に実装することができる。【選択図】  図５
2010114738.tif 000002
【特許請求の範囲】
【請求項１】
プリント基板上の回路にフィルタを追加して挿入するためのプリント基板実装部品であって、入力電極と出力電極とグランド電極とを備え、前記入力電極と前記出力電極の間に、複数の２端子のディスクリート電気部品によって少なくとも１段以上のフィルタを構成するための部品実装用のランドと内部配線とを備え、前記入力電極と前記出力電極と前記グランド電極とがその端部においてプリント基板に面実装するための３端子構造を有するか、または、前記入力電極と前記出力電極とがその端部においてプリント基板に面実装するための２端子構造を有することを特徴とするプリント基板実装部品。
【請求項２】
前記の少なくとも1段以上のフィルタは少なくとも1段以上のπ型フィルタであることを特徴とする請求項１に記載のプリント基板実装部品。
【請求項３】
前記内部配線は特性インピーダンスが５０Ωのマイクロストリップ線路構造を有していることを特徴とする請求項１または２に記載のプリント基板実装部品。
【請求項４】
前記部品実装用のランドの対峙する２つの電極パッドは、その対峙する方向の長さが０．１７５〜１．６ｍｍ、それに直交する方向の長さが０．２〜３．５ｍｍであって、前記２つの電極パッドの相互の間隔が０．１５〜５．４ｍｍであることを特徴とする請求項１〜３のいずれか１項に記載のプリント基板実装部品。
【請求項５】
前記入力電極と前記出力電極とがその端部においてプリント基板に面実装するための２端子構造を有し、前記グランド電極と前記プリント基板のグランドを電気的に接続するためのリード線が前記グランド電極に接続されていることを特徴とする請求項１〜４のいずれか１項に記載のプリント基板実装部品。
【発明の詳細な説明】
【技術分野】
【０００１】
本発明はプリント基板上の回路にフィルタを追加して挿入するためのプリント基板実装部品に関し、ディスクリート電気部品を組み合わせてフィルタを構成するためのランドと内部配線およびプリント基板へ実装するための端子構造を有するプリント基板実装部品に関するものである。
【背景技術】
【０００２】
近年の電子通信機器の飛躍的な普及と共に、機器の高周波化、高速化、デジタル化が急速に進んでいる。これらに伴い、電子通信機器に使用されるプリント基板上の回路においては、高周波回路に発生するさまざまな電磁ノイズが電子通信機器の正常な作動を妨げないようにするために、ノイズ対策が重要な課題となっている。この対応のために、プリント基板上の回路には、ノイズを吸収することを目的とした多くのノイズフィルタが使用されている。
【０００３】
プリント基板上の回路でのノイズフィルタは、チップ抵抗やチップインダクタやチップキャパシタの組合せで特定の周波数成分を除去するよう構成されたものや、特許文献１および２に示されるように、１チップで特定の周波数成分を除去することが可能なものがある。
【０００４】
【特許文献１】特開平０６−０３６９０６号公報
【特許文献２】特開平０７−１６１５８４号公報
【発明の開示】
【発明が解決しようとする課題】
【０００５】
しかしながら、電子回路におけるノイズは、プリント基板上の部品レイアウトや配線の引き回しに起因し、プリント基板を製作した後で発覚する場合がある。このような場合、あらかじめノイズ対策用に部品を実装するためのランドを設けておかないとその対応は難しくなる。しかし、ノイズ対策用に３端子フィルタ用のランドを設けていても、想定したノイズと違う種類のノイズが発生した場合、そのランド形状にあったフィルタしか搭載できないため、細やかな対応は難しくなる。また、プリント基板の大きさには設計上の制限があるため、すべての場合を想定して多くの予備的なランドを設けておくこともできない。既に設けられたランドへの部品追加、部品変更でノイズに対応しきれない場合、基板の改版が必要となるが、これは大幅なコストアップに繋がる。
【０００６】
本発明は上記の従来技術における問題点を解消すべくなされたものであり、本発明の課題はプリント基板上の少ないランドにフィルタを追加して挿入することが可能なプリント基板実装部品を提供することにある。
【課題を解決するための手段】
【０００７】
上記課題を解決するため、本発明のプリント基板実装部品は、プリント基板上の回路にフィルタを追加して挿入するためのプリント基板実装部品であって、入力電極と出力電極とグランド電極とを備え、前記入力電極と前記出力電極の間に、複数の２端子のディスクリート電気部品によって少なくとも１段以上のフィルタを構成するための部品実装用のランドと内部配線とを備え、前記入力電極と前記出力電極と前記グランド電極とがその端部においてプリント基板に面実装するための３端子構造を有するか、または、前記入力電極と前記出力電極とがその端部においてプリント基板に面実装するための２端子構造を有することを特徴とする。
【０００８】
ここで、前記フィルタはπ型フィルタであることが望ましく、また、前記内部配線は特性インピーダンスが５０Ωのマイクロストリップ線路構造を有していることが望ましい。
【０００９】
また、前記部品実装用のランドの対峙する２つの電極パッドは、その対峙する方向の長さが０．１７５〜１．６ｍｍ、それに直交する方向の長さが０．２〜３．５ｍｍであって、前記２つの電極パッドの相互の間隔が０．１５〜５．４ｍｍであることが望ましい。これにより、当該ランドの電極パッドの寸法および相互間距離は、２端子の表面実装部品の角型チップ部品のＪＩＳ規格もしくはＥＩＡ規格に適応することができ、一般的な汎用のチップ部品を本発明のプリント基板実装部品に実装できる。
【００１０】
また、前記入力電極と前記出力電極とがその端部においてプリント基板に面実装するための２端子構造を有し、前記グランド電極と前記プリント基板のグランドを電気的に接続するためのリード線が前記グランド電極に接続されていてもよい。
【発明の効果】
【００１１】
以上のように、本発明は、プリント基板上の回路にπ型等のフィルタを追加して挿入するために、ディスクリート電気部品を組み合わせてフィルタを構成するためのランドと内部配線およびプリント基板へ実装するための端子構造を有するプリント基板実装部品を提供するものである。この本発明によるプリント基板実装部品に抵抗やインダクタ、コンデンサ等のディスクリート部品を実装して組合せ、一つのフィルタとして構成する。これをプリント基板上の３端子フィルタ用のランドに接続し、または２端子部品用のランドに接続してリード線を用いてグランド端子とプリント基板のグランドを接続する。従って、部品の実装面積やランド数の制約でフィルタを挿入することが難しい箇所にフィルタを挿入することが可能となる。このように、プリント基板上の回路を製作した後にノイズの発生が判明しても、後付の対応が容易となる。そして、ノイズ対策のために基板の改版を行う必要がなくなり、製品開発の際のコストダウンに繋がる。また、フィルタに用いるディスクリート部品には任意のチップ抵抗やチップインダクタ、コンデンサを用いることができるので、フィルタの細かい調節が可能となり、汎用性が高い。
【００１２】
また、本発明においては、内部配線にマイクロストリップを用い、特性インピーダンスを５０Ωに設定することができる。この場合、同じように特性インピーダンスを５０Ωに設定したプリント基板上の回路に接続すれば、プリント基板上のランドを拡張したような構成となり、信号の反射等の影響も抑えることが可能となる。
【００１３】
以上のように、本発明により、プリント基板上の少ないランドにフィルタを追加して挿入することが可能なプリント基板実装部品が得られる。
【発明を実施するための最良の形態】
【００１４】
以下、図面を参照して本発明の実施の形態について説明する。
【００１５】
図１、図２、及び図３は、それぞれ本発明によるプリント基板実装部品の第１の実施の形態を示す図であり、図１はその上面図、図２はその下面図、図３はその斜視図である。図１、図２、及び図３に示すように、本実施の形態のプリント基板実装部品は、本体基板１と、その上に設けられた入力電極２と出力電極３とグランド電極４とを備え、入力電極２と出力電極３の間に、複数の２端子のディスクリート電気部品によって少なくとも１段以上のπ型フィルタを構成するための部品実装用のランド７、８、９と内部配線としてのマイクロストリップライン５とを備え、入力電極２と出力電極３とグランド電極４とがその端部においてプリント基板に面実装するための３端子構造を有している。
【００１６】
本体基板１にはＦＲ４等の誘電材料を用いている。入力電極２と、出力電極３と、グランド電極４と、マイクロストリップライン５と、スルーホール６と、ランド７、８、９には導電性のＣｕパターンを用いている。マイクロストリップライン５は、本体基板１の誘電率と厚さを考慮し、特性インピーダンスが５０Ωになるようその幅を設定している。部品実装用ランド７、８、９の形状は、表面実装部品のＪＩＳ規格である１００５サイズ、０６０３サイズ等の角型チップ部品が搭載可能な寸法となっている。本実施の形態のプリント基板実装部品においては、本体基板１の片面にランド７、８が形成され、その裏面にランド９が形成され、入力電極２、出力電極３及びグランド電極４と、ランド７、８、９とはマイクロストリップライン５とスルーホール６によって電気的に接続される。
【００１７】
図４は、第１の実施の形態のプリント基板実装部品により得られるπ型フィルタ用配線の等価回路図である。部品実装用のランド７、８、９にチップ部品を実装することで、入力電極２と出力電極３の間にπ型の回路が挿入される。表１は、部品実装用のランド７、８、９へ搭載されるディスクリート部品とその搭載部位の組合せにより構成されるフィルタの１例を示す。抵抗やインダクタ、コンデンサを組み合わせることで、本実施の形態のプリント基板実装部品上にフィルタ機能を有する回路が構成される。
【００１８】
【表１】
2010114738.tif 000003
【００１９】
図５は、第１の実施の形態のプリント基板実装部品にチップ部品を実装して構成したフィルタのプリント基板への接続方法を説明するための斜視図である。ディスクリート部品１１を本実施の形態のプリント基板実装部品１０に搭載してフィルタを構成し、これをプリント基板１２上の回路に挿入する場合を示す。本実施の形態のプリント基板実装部品１０は入力電極２と出力電極３とグランド電極４とがその端部においてプリント基板に面実装するための３端子構造を有しているので、図５に示すように、プリント基板１２の上に設けた３端子フィルタなどの３端子部品に用いられるランド１３上に実装することができる。
【００２０】
また、本実施の形態において３端子構造を構成する端部の入力電極２と出力電極３の寸法および相互間距離を、ＪＩＳ規格である１００５サイズや０６０３サイズなど、２端子の表面実装部品の角型チップ部品の規格に適応するよう設計することができる。この場合、プリント基板１２上にノイズの予備対策として３端子部品用のランド１３を設けておき、ノイズ対策の必要がない場合は、規格サイズの０Ω抵抗でランド１３の入力電極２および出力電極３との接続用の電極パッド間を短絡させればよい。
【００２１】
次に、図面を参照して本発明の第２の実施の形態について説明する。
図６は、本発明によるプリント基板実装部品の第２の実施の形態を示す斜視図である。第１の実施の形態では、入力電極と出力電極とグランド電極とがその端部においてプリント基板に面実装するための３端子構造を有しているが、図６に示すように、本実施の形態においては、入力電極２と出力電極３とがその端部においてプリント基板に面実装するための２端子構造を有しており、グランド電極１４とプリント基板のグランドを電気的に接続するためのリード線１５がグランド電極１４に接続されている。その他の基本的な構成は第１の実施の形態と同様である。
【００２２】
図７は、第２の実施の形態のプリント基板実装部品にチップ部品を実装して構成したフィルタのプリント基板への接続方法を説明するための斜視図である。図７に示すように、プリント基板１７上に２端子部品用のランド１８とその近傍にグランド接続のランド１９が存在すれば、２端子部品用のランド１８に入力電極４と出力電極５を接続し、リード線１５を介してグランド電極１４とグランド接続のランド１９を接続することで、ディスクリート部品１１を搭載したプリント基板実装部品１６を実装する。このようにして、プリント基板上の２端子のチップ部品が搭載可能な箇所にもフィルタを挿入することが可能となる。
【００２３】
なお、本発明は上記の実施の形態に限定されるものではないことはいうまでもなく、目的や用途に応じて、入力電極、出力電極、グランド電極、内部配線、ランドなどの形状や配置など任意に設計変更可能である。例えば、本発明によるプリント基板実装部品上に複数段で構成されたπ型フィルタをさらに複数段配置したフィルタ回路を構成できるように、ランドや内部配線などを設けてもよい。
【図面の簡単な説明】
【００２４】
【図１】本発明によるプリント基板実装部品の第１の実施の形態を示す上面図。
【図２】本発明によるプリント基板実装部品の第１の実施の形態を示す下面図。
【図３】本発明によるプリント基板実装部品の第１の実施の形態を示す斜視図。
【図４】第１の実施の形態のプリント基板実装部品により得られるπ型フィルタ用配線の等価回路図。
【図５】第１の実施の形態のプリント基板実装部品にチップ部品を実装して構成したフィルタのプリント基板への接続方法を説明するための斜視図。
【図６】本発明によるプリント基板実装部品の第２の実施の形態を示す斜視図。
【図７】第２の実施の形態のプリント基板実装部品にチップ部品を実装して構成したフィルタのプリント基板への接続方法を説明するための斜視図。
【符号の説明】
【００２５】
１    本体基板
２    入力電極
３    出力電極
４、１４    グランド電極
５    マイクロストリップライン
６    スルーホール
７、８、９、１３、１８、１９    ランド
１０、１６    プリント基板実装部品
１１    ディスクリート部品
１２，１７    プリント基板
１５    リード線
【図１】
2010114738.tif 000004
【図２】
2010114738.tif 000005
【図３】
2010114738.tif 000006
【図４】
2010114738.tif 000007
【図５】
2010114738.tif 000008
【図６】
2010114738.tif 000009
【図７】
2010114738.tif 000010